(57)【要約】【課題】回転操作型電子部品およびそれを搭載した電子機器に関し、操作部を回転操作しても操作部に表示された方向性のある意匠の向きが変わらないものを提供する。【解決手段】ケース３１の段付き円筒部３１Ａ内壁の上下に伸びる凹部３１Ｄ内に凸部３９Ｂを組み合わせつつ、導光体３９の鍔部３９Ａ下方を駆動体３７の筒部３７Ｂ上端内側を介して挿通させると共に、鍔部３９Ａ上方を操作つまみ３８の貫通孔３８Ｃに挿入させ、さらに操作つまみ３８を、第２係止部３８Ｄで駆動体３７の第２係止孔３７Ｅに、また駆動体３７を、第１係止部３７Ｃで回転体３３の第１係止孔３３Ｃに係止させたものとし、導光体３９、駆動体３７及び操作つまみ３８が一体で上下移動し、回転操作時には導光体３９が回転せずに、操作つまみ３８、駆動体３７及び回転体３３が一体で回転する構成とした。【選択図】図１
2010073318.tif 000002
【特許請求の範囲】
【請求項１】
内面に上下方向に通じた凹部が設けられた円筒部を上方に突出し、その円筒部を内壁として下部外周を囲む上方開口の環状凹部を有し、その環状凹部の内底面に導体パターンが設けられたケースと、内面が上記円筒部外面に回転可能に嵌合した嵌合円筒部とその嵌合円筒部下方に設けられたフランジ部の下面に上記導体パターン上を回転摺動する摺動子を備えた回転体と、中孔から上記ケースの円筒部と上記回転体の嵌合円筒部を突出させ、上記回転体のフランジ部を上記環状凹部内に収納してその環状凹部上面を塞ぐように上記ケースに固定されたカバーと、第２係止孔を有した環状平板部の内周縁から上方に突出した筒部の内面が上記ケースの円筒部外面に回転可能に嵌合し、上記環状平板部の外周縁から下方へ延出した第１係止部が、上記カバーの中孔から突出した上記回転体の嵌合円筒部に設けられた第１係止孔に上下移動可能に係止されて、上記回転体と一体に回転可能に組み合わされた駆動体と、下方側が拡径した階段状で下側の第１段部と上側の第２段部を有した貫通孔を備え、その第１段部下方に上記駆動体の筒部が嵌合し、下端部から下方へ延出した第２係止部が上記駆動体の第２係止孔に係止されて、上下移動並びに回転が上記駆動体と一体に可能に組み合わされた操作つまみと、鍔部を備えた略棒状で、この鍔部は上記駆動体の筒部上端と上記操作つまみの第２段部下面との間に位置し、上記鍔部下方が上記ケースの凹部を備えた円筒部の内面形状に合わせて挿通され、上記鍔部上方が上記操作つまみの第２段部から上方の貫通孔に挿入されて上面に方向性のある意匠が備えられている表示体とからなる回転操作型電子部品。
【請求項２】
ケースの円筒部に中間から上方を小径とする段部が設けられ、その段部に駆動体の筒部下端が当接して下方への押し止めがなされる請求項１記載の回転操作型電子部品。
【請求項３】
請求項１〜２に記載の回転操作型電子部品が搭載されて構成された電子機器であって、上記回転操作型電子部品の表示体の直下に自己復帰型のプッシュスイッチが配設され、上記表示体の下端が上記プッシュスイッチの自己復帰力により上方へ付勢されて構成されている電子機器。
【請求項４】
回転操作型電子部品の表示体が、アクリル樹脂などの透光性を有した材料からなり、ケースの円筒部内側下方に発光体が備えられて構成されている請求項３記載の電子機器。
【発明の詳細な説明】
【技術分野】
【０００１】
本発明は、各種電子機器に搭載され、操作パネルから突出した操作つまみの表面に方向性のある意匠が備えられて用いられる回転操作型電子部品およびそれを搭載した電子機器に関するものである。
【背景技術】
【０００２】
電子機器の入力操作部の形態は多々あるが、特に車載用オーディオ機器などでは、回転軸の端部に操作つまみが取り付けられ、その操作つまみを回転操作して音量等の各種調整を行う回転操作型電子部品が多く用いられており、また操作つまみの表面には機能明示用の意匠が付されたものも多い。
【０００３】
このような従来の回転操作型電子部品およびそれを搭載した電子機器について、図８〜図１２を用いて説明する。
【０００４】
図８は従来の回転操作型電子部品の断面図、図９は同分解斜視図、図１０は同操作部に操作つまみを装着した状態の平面図、図１１は電子機器に搭載された状態を示す断面図、図１２は回転操作された後の操作つまみの平面図である。
【０００５】
同図において、１は凹部内底面の中央にプッシュスイッチ用固定接点２を備え、その外周にエンコーダ用固定接点３を備えた絶縁樹脂製のケースであり、上記プッシュスイッチ用固定接点２に対応して、上方に膨らんだドーム形状に形成された可動接点４が組み合わされている。
【０００６】
５は中央に非円形孔を有した円筒部５Ａの下方が円形のフランジ部５Ｂとなった絶縁樹脂製の回転体で、フランジ部５Ｂ下面には摺動子６が固定されている。この摺動子６は、回転体５が回転することによって上記ケース１のエンコーダ用固定接点３上を回転摺動してエンコーダ信号を発生させるためのものである。
【０００７】
７はケース１の凹部上面を鍔部７Ａが覆い、中央部が貫通孔７Ｂを有して上方に突出した嵌合筒部７Ｃとなった軸受で、鍔部７Ａ下面にリング状のクリックバネ８が取り付けられている。このクリックバネ８の曲げ下ろされたダボ部先端は、回転体５のフランジ部５Ｂ上面に設けられた凹凸部に弾接している。そして、貫通孔７Ｂの下部には、回転体５の円筒部５Ａの上部が回転可能に嵌合している。
【０００８】
そして、軸受７の嵌合筒部７Ｃを上方に突出させて、脚部９Ａを備えたカバー９が鍔部７Ａ上面からケース１下面を抱え込むようにして固定されている。
【０００９】
１０は回転動作と上下動作が可能に軸受７の貫通孔７Ｂに中間鍔部１０Ｂが嵌合した略棒状の回転軸で、上部の操作部１０Ａは軸受７の貫通孔７Ｂから上方に突出していると共に、中間鍔部１０Ｂ下方の非円形嵌合部１０Ｃが上記回転体５における円筒部５Ａの非円形孔に嵌合しており、これにより回転軸１０の回転動作は回転体５に伝わるが、上下動作は回転体５に伝わらないようになっている。
【００１０】
そして、回転体５の円筒部５Ａに挿入され下方に突出した回転軸１０下端の押圧部１０Ｄは上記可動接点４の中央上面に当接しており、可動接点４の上方に膨らんだドーム状部分のバネ圧力により回転軸１０は上方に押し上げられて、中間鍔部１０Ｂ上面が軸受７の嵌合筒部７Ｃの上端下面に押し付けられた付勢状態となっている。
【００１１】
なお、通常、回転軸１０の操作部１０Ａには、図８に破線で示すような操作つまみ２２が取り付けられて機器に搭載されて使用される。その操作つまみ２２としては、様々なものが用いられるが、機能明示用の意匠が付されたものを取り付けた場合について以下に説明する。
【００１２】
上記のように構成された回転操作型電子部品において、操作つまみ２２を介して回転軸１０の操作部１０Ａを回転操作すると、非円形嵌合部１０Ｃで係合されている回転体５が一体で回転する。これにより、回転体５のフランジ部５Ｂ下面の摺動子６がケース１のエンコーダ用固定接点３上を摺動し、エンコーダ用固定接点３から導出された端子３Ａからエンコーダ信号が得られると共に、クリックバネ８がフランジ部５Ｂ上面の凹凸部を摺動してクリック節度を発生する。
【００１３】
また、回転軸１０の操作部１０Ａを押圧操作すると下端の押圧部１０Ｄが可動接点４を押圧して、所定の押圧力を超えると、可動接点４の上方に膨らんだドーム状部分が節度感を伴って下方凸形に弾性反転し、対面していたプッシュスイッチ用固定接点２に接触してスイッチオンとなり、プッシュスイッチ用固定接点２から導出された端子２Ａからオン信号が得られる。そして、操作部１０Ａに加えていた押圧力を解除すると、下方凸形に変形していた可動接点４のドーム状部分が元の上方に膨らんだ形状に節度感を伴って自己復帰し、図８に示した元のスイッチオフとなる。
【００１４】
そして、図１０に、回転軸１０の操作部１０Ａに操作つまみ２２を装着した平面図を示す。同図に示したように、操作つまみ２２の上面中央には、円形と直線形との組み合わせからなる電源部を示す意匠２３が明示してあり、その直線形の位置が、同図内に示すように縦方向で、かつ同図内での上方位置にある場合が操作つまみ２２の正立した方向である。
【００１５】
次に、図１１は、回転操作型電子部品を搭載した電子機器の断面図であり、配線基板２０に各端子２Ａ，３Ａとカバー９の脚部９Ａが半田付けされて固定されており、回転軸１０の操作部１０Ａに取り付けられた操作つまみ２２は電子機器の操作パネル２１から上方に突出している。
【００１６】
このように電子機器に搭載された回転操作型電子部品を使う際は、操作つまみ２２を押圧して、プッシュスイッチを動作させて電子機器の電源をオンにした後、操作つまみ２２を回転させて発生するエンコーダ信号により音量等を調節するものであった。
【００１７】
なお、この出願の発明に関連する先行技術文献情報としては、例えば、特許文献１が知られている。
【特許文献１】特開２００５−３０２３５４号公報
【発明の開示】
【発明が解決しようとする課題】
【００１８】
しかしながら、上記従来の回転操作型電子部品およびそれを搭載した電子機器においては、操作つまみ２２を回転操作して音量等を調整した後では、図１２に示すように、操作つまみ２２に表示された方向性のある意匠２３が正立状態とならず傾いた表示になってしまい、これによって操作者に対し見た目での不安定感を与えて品位の低下を感じさせるため、操作つまみ２２を回転操作しても意匠２３が常に正立状態に維持できる回転操作型電子部品およびそれを搭載した電子機器への改善要望がされることが多くなってきた。
【００１９】
本発明は、このような従来の課題を解決するものであり、回転操作しても、操作つまみ表面に表示された方向性のある意匠の向きが変わらない、高品位な回転操作型電子部品およびそれを搭載した電子機器を提供することを目的とする。
【課題を解決するための手段】
【００２０】
上記目的を達成するために本発明は、以下の構成を有するものである。
【００２１】
本発明の請求項１に記載の発明は、内面に上下方向に通じた凹部が設けられた円筒部を上方に突出し、その円筒部を内壁として下部外周を囲む上方開口の環状凹部を有し、その環状凹部の内底面に導体パターンが設けられたケースと、内面が上記円筒部外面に回転可能に嵌合した嵌合円筒部とその嵌合円筒部下方に設けられたフランジ部の下面に上記導体パターン上を回転摺動する摺動子を備えた回転体と、中孔から上記ケースの円筒部と上記回転体の嵌合円筒部を突出させ、上記回転体のフランジ部を上記環状凹部内に収納してその環状凹部上面を塞ぐように上記ケースに固定されたカバーと、第２係止孔を有した環状平板部の内周縁から上方に突出した筒部の内面が上記ケースの円筒部外面に回転可能に嵌合し、上記環状平板部の外周縁から下方へ延出した第１係止部が、上記カバーの中孔から突出した上記回転体の嵌合円筒部に設けられた第１係止孔に上下移動可能に係止されて、上記回転体と一体に回転可能に組み合わされた駆動体と、下方側が拡径した階段状で下側の第１段部と上側の第２段部を有した貫通孔を備え、その第１段部下方に上記駆動体の筒部が嵌合し、下端部から下方へ延出した第２係止部が上記駆動体の第２係止孔に係止されて、上下移動並びに回転が上記駆動体と一体に可能に組み合わされた操作つまみと、鍔部を備えた略棒状で、この鍔部は上記駆動体の筒部上端と上記操作つまみの第２段部下面との間に位置し、上記鍔部下方が上記ケースの凹部を備えた円筒部の内面形状に合わせて挿通され、上記鍔部上方が上記操作つまみの第２段部から上方の貫通孔に挿入されて上面に方向性のある意匠が備えられている表示体とからなる回転操作型電子部品としたものである。当該構成であれば、操作つまみを回転操作すると、表示体は回転することなく、駆動体を介して回転体が回転されて導体パターン上を摺動子が摺動して電気信号を発生し、操作つまみまたは表示体を押圧操作すると、操作つまみ、表示体および駆動体が一体となって下方に移動可能であるため、表示体に備えられた方向性のある意匠が、回転操作に影響なく所定の向きを維持し、押圧操作では操作つまみおよび駆動体と一体になって下方に移動するので、操作者に違和感を与えないで高品位な回転操作型電子部品を提供することができるという作用を有する。
【００２２】
請求項２に記載の発明は、請求項１記載の発明において、ケースの円筒部に中間から上方を小径とする段部が設けられ、その段部に駆動体の筒部下端が当接して下方への押し止めがなされるものであり、新たな部材を用いることなく簡単な構成で押し止めが形成できるという作用を有する。
【００２３】
請求項３に記載の発明は、請求項１〜２に記載の回転操作型電子部品が搭載されて構成された電子機器であって、上記回転操作型電子部品の表示体の直下に自己復帰型のプッシュスイッチが配設され、上記表示体の下端が上記プッシュスイッチの自己復帰力により上方へ付勢されて構成されている電子機器としたものであり、表示体およびその表示体を支持する駆動体と操作つまみを含めた三つの構成部材を一体として上方へ付勢しており、三つの構成部材の上下方向のがたつきを防止した高品位の電子機器を実現できるという作用を有する。
【００２４】
請求項４に記載の発明は、請求項３記載の発明において、回転操作型電子部品の表示体が、アクリル樹脂などの透光性を有した材料からなり、ケースの円筒部内側下方に発光体が備えられて構成されているものであり、表示体が発光体からの光を通して上方の意匠の周囲を効率良く照光して、意匠が判りやすく明示されるものにできるという作用を有する。
【発明の効果】
【００２５】
以上のように本発明によれば、操作部分を回転操作しても表示された方向性のある意匠が回転することなく正立状態が維持され、違和感のない高品位な回転操作型電子部品およびそれを搭載した電子機器を提供することができるという有利な効果が得られる。
【発明を実施するための最良の形態】
【００２６】
以下、本発明の実施の形態について、図１〜図７を用いて説明する。
【００２７】
（実施の形態）
図１は本発明の一実施の形態による回転操作型電子部品の断面図、図２は同分解斜視図、図３は同平面図、図４は図３のＰ−Ｐ線における断面図であり、同図において、３１は中央に上方に突出した段付き円筒部３１Ａを有し、その段付き円筒部３１Ａを内壁とする環状凹部３１Ｂを外周に備えた絶縁樹脂製のケースであり、環状凹部３１Ｂの内底面には、導体パターンとしてのエンコーダ用固定接点３２が設けられており、そのエンコーダ用固定接点３２と繋がった端子３２Ａがケース３１の外方に延設されている。
【００２８】
段付き円筒部３１Ａの段部３１Ｃから上側の内面は、水平断面が円形で、かつそれぞれ上下方向に通じた４つの凹部３１Ｄが等角度に設けられた凹部付き円形孔となっている。
【００２９】
３３は中空の嵌合円筒部３３Ａとその下端にフランジ部３３Ｂを有した絶縁樹脂からなる回転体であり、嵌合円筒部３３Ａはケース３１の段付き円筒部３１Ａの段部３１Ｃの下側外面に回転可能に嵌合し、フランジ部３３Ｂ下面には摺動子３４が固定されている。そして、嵌合円筒部３３Ａの上下方向中間部に矩形の第１係止孔３３Ｃが１８０度対向位置の２ヶ所に設けられている。
【００３０】
上記摺動子３４は、回転体３３が回転すると、ケース３１の環状凹部３１Ｂの内底面上を摺動し、エンコーダ用固定接点３２との接離によってエンコーダ信号を端子３２Ａから得るためのものである。
【００３１】
３５は半田付け固定用の脚部３５Ａを備えた金属板からなるカバーで、上記回転体３３の嵌合円筒部３３Ａとケース３１の段付き円筒部３１Ａを中孔３５Ｂから上方に突出させ、回転体３３のフランジ部３３Ｂをケース３１の環状凹部３１Ｂ内に収納状態にしてケース３１を抱き込むようにカシメ固定されている。また、このカバー３５の下面には弾性金属板からなるクリックバネ３６が固着されて、上記回転体３３のフランジ部３３Ｂ上面に設けられた凹凸部３３Ｄ上にダボ部が弾接しており、回転体３３の回転に伴ってクリック節度が発生されるようになっている。
【００３２】
３７は絶縁樹脂からなる駆動体で、円形の環状平板部３７Ａの内周縁から上方に円筒形に突出して上端内径が小径になった筒部３７Ｂ内面が、ケース３１の段付き円筒部３１Ａの段部３１Ｃの上側外面に嵌合し、上記環状平板部３７Ａの外周縁の対向する位置の２ヶ所から下方に突出形成された弾性を有した第１係止部３７Ｃ先端の爪部３７Ｄが、上記回転体３３の嵌合円筒部３３Ａに設けられた矩形の第１係止孔３３Ｃの天面に係止されている。
【００３３】
駆動体３７は、後述するプッシュスイッチ４１の操作が可能となるように上下移動可能に組み合わされている。つまり、第１係止部３７Ｃ先端の爪部３７Ｄは第１係止孔３３Ｃ内で上下方向に移動可能であり、環状平板部３７Ａの下面と、ケース３１の段付き円筒部３１Ａの段部３１Ｃ上面並びに回転体３３の嵌合円筒部３３Ａ上端との間隔はプッシュスイッチ４１の操作が可能な上下間隔をあけた設定としている。
【００３４】
３８は下側の第１段部３８Ａと上側の第２段部３８Ｂにより２段階に下方が拡径した貫通孔３８Ｃを有した略砲弾形の絶縁樹脂からなる操作つまみであり、１８０度対向した位置の２ヶ所から下方に弾性を有した第２係止部３８Ｄが突出している。図４の断面図に示すように、その第２係止部３８Ｄが、駆動体３７の環状平板部３７Ａに設けられた矩形の第２係止孔３７Ｅにそれぞれ挿通されて、下端の爪部３８Ｅが環状平板部３７Ａの下面に係止されている。なお、この実施形態では、第２係止孔３７Ｅの形状を矩形の孔としているが、当該構成部位は、これのみに限定されることはない。例えば、環状平板部３７Ａの外周部をコ字形に切り欠いた切欠形状などであっても良く、爪部３８Ｅのスナップ止めが可能で、第２係止部３８Ｄの両側面に対して円周方向で対向する面をもつ形状であれば良い。また、第２係止孔３７Ｅは、第１係止部３７Ｃの配設位置に対し所定角度ふった位置で配設することが好ましい。
【００３５】
この貫通孔３８Ｃの第１段部３８Ａ下方内面には、駆動体３７の筒部３７Ｂ外面が嵌合し、その筒部３７Ｂの上端面は第１段部３８Ａと対面している。
【００３６】
そして、３９は略棒状で中間に鍔部３９Ａと下端に押圧部３９Ｃを備えたアクリル樹脂などからなる透光性のある表示体としての導光体であり、鍔部３９Ａが操作つまみ３８における貫通孔３８Ｃの２つの段部３８Ａ，３８Ｂの間の中間部分に位置し、第２段部３８Ｂと駆動体３７の筒部３７Ｂ上端との間に挟持された状態で配されている。
【００３７】
この鍔部３９Ａの下方は、水平断面が円形で、その円形の外周に４つの凸部３９Ｂを等角度に有した円柱形状のものとされており、上記駆動体３７の筒部３７Ｂの上端を介して、下方のケース３１の段付き円筒部３１Ａの段部３１Ｃから上側の内面に設けられた４つの凹部３１Ｄに４つの凸部３９Ｂが組み合わされて、段部３１Ｃ下方まで挿通されて配されている。なお、駆動体３７の筒部３７Ｂ上端の孔は、導光体３９の４つの凸部３９Ｂを内包する大きさの円形孔に設けられている。また、鍔部３９Ａからの上方位置部分は上記操作つまみ３８の第２段部３８Ｂから上の貫通孔３８Ｃに嵌合して、上面が操作つまみ３８の上面と同一面となって露出しており、その露出した上面に方向性を有した意匠４０が表示されている。
【００３８】
次に、このように構成された回転操作型電子部品を搭載した電子機器について説明する。なお、この実施形態の電子機器は、車載用オーディオ機器を例としており、回転操作型電子部品の押圧操作で電源スイッチが機能し、回転操作で音量の増減が機能するものとして説明する。
【００３９】
図５は回転操作型電子部品を搭載した電子機器の断面図であり、図において、２０は配線基板で、その上面に回転操作型電子部品が端子３２Ａおよびカバー３５の脚部３５Ａが半田付け実装されており、操作パネル２１の孔から操作つまみ３８が上方に突出している。そして、ケース３１の段付き円筒部３１Ａ内に挿入された導光体３９の直下には、押圧力を受けて動作し、押圧力を解除すると自己復帰する自己復帰型のプッシュスイッチ４１が実装されており、そのプッシュスイッチ４１の操作部上端に導光体３９の押圧部３９Ｃが当接している。
【００４０】
なお、自己復帰型のプッシュスイッチ４１により、導光体３９は上方への付勢力を受けており、その付勢力によって、導光体３９の鍔部３９Ａを介して操作つまみ３８が上方に付勢され、操作つまみ３８の第２係止部３８Ｄを介して駆動体３７も上方に付勢されている。
【００４１】
４２は発光体としてのＬＥＤで、プッシュスイッチ４１の動作に連動して発光するように図示しない回路で制御されている。そして、このように電子機器に搭載された回転操作型電子部品をその操作パネル２１側から見ると、図３に示すように、操作つまみ３８の貫通孔３８Ｃに挿入された導光体３９上端の意匠４０が正立した状態となっている。なお、この実施形態の意匠４０は、従来同様に、円形と直線形との組み合わせからなる電子機器の電源部を示すもので、その直線形が操作者から見て上側に位置した状態が正しい向きである方向のものとしている。
【００４２】
続いて、このように電子機器に搭載された回転操作型電子部品の動作について説明する。
【００４３】
まず、図６の押圧操作された状態の断面図に示すように、操作つまみ３８もしくは導光体３９の上面を押し下げると、操作つまみ３８における貫通孔３８Ｃ内の第１段部３８Ａもしくは導光体３９の鍔部３９Ａ下面が駆動体３７の上端を押圧して、これら操作つまみ３８、導光体３９および駆動体３７の３つの部材が一体となって下方へ移動する。このとき回転体３３は、移動などすることはない。そして、導光体３９下端の押圧部３９Ｃがプッシュスイッチ４１を押圧して、プッシュスイッチ４１が動作し、電子機器の電源スイッチがオン状態となり、併せてＬＥＤ４２が発光する。
【００４４】
ここで、導光体３９がアクリル樹脂などからなり透光性を備えているため、ＬＥＤ４２からの光を導光体３９の内部を通じて上方に至らせ、その上面に表示された意匠４０の周囲を効率良く照光できるので、意匠４０を容易に判りやすく明示することができる。
【００４５】
また、押し下げ操作によって、プッシュスイッチ４１が動作したのちに、駆動体３７の環状平板部３７Ａの下面がケース３１の段付き円筒部３１Ａの段部３１Ｃ上面に当接し、これにより下方への押し止めがなされる。つまり、ケース３１中央の円筒部を段部３１Ｃから下方を拡径とした段付き円筒部３１Ａとしただけの簡単な構成で押し止めを有したものにできる。
【００４６】
そして、上記押し下げ操作を解除すると、プッシュスイッチ４１の自己復帰力によって、導光体３９の押圧部３９Ｃが押し上げられると共にその鍔部３９Ａによって操作つまみ３８が押し上げられ、さらに操作つまみ３８の第２係止部３８Ｄの爪部３８Ｅによって駆動体３７が押し上げられて、それら一体となった三つの構成部材が元の図１、図４、図５に示す位置に押し戻される。
【００４７】
このように、導光体３９の直下に配設されたプッシュスイッチ４１の自己復帰力で、導光体３９、駆動体３７および操作つまみ３８の３つの構成部材を一体として上方へ付勢すると共に、一体で上下移動可能に組み合わされた当該構成のものであれば、これら３つの構成部材の上下方向のがたつきを防止した高品位な電子機器が実現できる。
【００４８】
なお、本実施の形態の場合は、プッシュスイッチ４１の動作によって発光したＬＥＤ４２は、電源スイッチが入っているかどうかを照光して明示するものであるため、再度プッシュスイッチ４１が動作されて、電子機器の電源スイッチがオフ状態となるまで発光するように制御されている。
【００４９】
次に、操作つまみ３８を回転操作すると、第２係止部３８Ｄで係止されている駆動体３７が一体で回転し、さらに駆動体３７の第１係止部３７Ｃを介して回転体３３が一体で回転する。つまり、回転操作においては、操作つまみ３８、駆動体３７および回転体３３が一体となって回転する。そして、この回転体３３が回転すると、そのフランジ部３３Ｂ上面の凹凸部３３Ｄに弾接したクリックバネ３６によりクリック節度が発生され、フランジ部３３Ｂ下面に固定された摺動子３４がケース３１の環状凹部３１Ｂ内底面上を回転摺動して、エンコーダ用固定接点３２との接離によって生じるエンコーダ信号がケース３１から導出された端子３２Ａから得られる。
【００５０】
この実施の形態であると、エンコーダ信号によって電子機器の音量が増減され、操作者の所望の音量となるまで回転操作され、所望音量となった回転位置（クリック位置）で操作つまみ３８は止められる。
【００５１】
一方、この操作つまみ３８が回転操作されても、操作つまみ３８の貫通孔３８Ｃに嵌合した導光体３９は、４つの凸部３９Ｂを有した鍔部３９Ａ下方がケース３１の段付き円筒部３１Ａ内の４つの凹部３１Ｄを有した円形孔に挿入されて回転防止がなされているため回転しない。
【００５２】
したがって、図７の回転操作された状態の平面図に示すように、導光体３９の上面に表示された意匠４０の向きが変わることがなく、その方向性は維持されている。
【００５３】
このように本実施の形態によれば、操作つまみ３８の回転操作によって、駆動体３７を介して回転体３３が回転されるが、意匠４０が表示された導光体３９は回転しないため、常に意匠４０においては正立した状態を維持することができ、また押圧操作では操作つまみ３８と導光体３９とは一体になって下方に移動するので、操作者に違和感を与えないで高品位な回転操作型電子部品や電子機器を得ることができる。
【００５４】
なお、上記には意匠４０が表示された表示体を、導光体３９とした例を説明したが、表示体は、これに限定されることはなく、透光性を有しない材質のものなどで形成されていてもよい。また、上記には、エンコーダ信号が得られる構成のものを説明したが、回転式スイッチや可変抵抗器などの出力が得られる導体パターンをケースに備えさせ、対応する可動接点を回転体に固定したものとしてもよい。さらには、操作つまみ３８の外形も略砲弾形のもののみに限定されることもない。
【産業上の利用可能性】
【００５５】
本発明による回転操作型電子部品およびそれを搭載した電子機器は、回転操作しても操作つまみに表示された方向性のある意匠が回転することなく正立状態が維持され、違和感のない高品位な回転操作型電子部品およびそれを搭載した電子機器を提供することができるという有利な効果を有し、操作パネルから突出した操作つまみの表面に方向性のある意匠が備えられて用いられる各種電子機器等に有用である。
【図面の簡単な説明】
【００５６】
【図１】本発明の一実施の形態による回転操作型電子部品の断面図
【図２】同分解斜視図
【図３】同平面図
【図４】同図３のＰ−Ｐ線における断面図
【図５】同電子機器に搭載された状態を示す断面図
【図６】同電子機器に搭載され、押圧操作された状態の断面図
【図７】同電子機器に搭載され、回転操作された状態の平面図
【図８】従来の回転操作型電子部品の断面図
【図９】同分解斜視図
【図１０】同操作部に操作つまみを装着した状態の平面図
【図１１】電子機器に搭載された状態を示す断面図
【図１２】回転操作された後の操作つまみの平面図
【符号の説明】
【００５７】
２０  配線基板
２１  操作パネル
３１  ケース
３１Ａ  段付き円筒部
３１Ｂ  環状凹部
３１Ｃ  段部
３１Ｄ  凹部
３２  エンコーダ用固定接点
３２Ａ  端子
３３  回転体
３３Ａ  嵌合円筒部
３３Ｂ  フランジ部
３３Ｃ  第１係止孔
３３Ｄ  凹凸部
３４  摺動子
３５  カバー
３５Ａ  脚部
３５Ｂ  中孔
３６  クリックバネ
３７  駆動体
３７Ａ  環状平板部
３７Ｂ  筒部
３７Ｃ  第１係止部
３７Ｄ，３８Ｅ  爪部
３７Ｅ  第２係止孔
３８  操作つまみ
３８Ａ  第１段部
３８Ｂ  第２段部
３８Ｃ  貫通孔
３８Ｄ  第２係止部
３９  導光体
３９Ａ  鍔部
３９Ｂ  凸部
３９Ｃ  押圧部
４０  意匠
４１  プッシュスイッチ
４２  ＬＥＤ
【図１】
2010073318.tif 000003
【図２】
2010073318.tif 000004
【図３】
2010073318.tif 000005
【図４】
2010073318.tif 000006
【図５】
2010073318.tif 000007
【図６】
2010073318.tif 000008
【図７】
2010073318.tif 000009
【図８】
2010073318.tif 000010
【図９】
2010073318.tif 000011
【図１０】
2010073318.tif 000012
【図１１】
2010073318.tif 000013
【図１２】
2010073318.tif 000014